(57)【要約】【課題】  左利き、右利き、を問わず、ラップフイルムの片方の横端を最初に切断可能にする、簡単に使用分を引き出せるようにする、こねる、強くおさえてこねる、等々をなくする、包装用容器が使用中最後まで形が、くずれないようにする【解決手段】  湾曲状に設けた切断刃の両端が傾斜になっている、両端の切断刃が最高に突出した切断刃を設ける、包装用容器本体内に、いち部を開放した円筒形状の回転補助具を用いる、両端より２箇所にラップフイルムの引き出し口を設ける、開閉自由の逆上防止部を設ける、開閉自由の蓋を設ける、切断刃を有する包装用容器を設ける【選択図】図８
2014218304.tif 000002
【特許請求の範囲】
【請求項１】
ラップフイルムを切断する時、ラップフイルムの、いつぽうの横端を最初に切断可能にすべく、切断刃と支持体を折曲して、角、傾斜、凸部、等を設け、これを利用して左利き、右利き、を問わず、最初にいつぽうの横端を切断可能にした切断刃であつて、（ａ）〜（ｌ）で構成を有することを特徴とする、切断刃を有する包装用容器（以下図１を参照）
（ａ）切断刃支持体２８に連接して、湾曲状に設けた切断刃４の両端に、最高に突出した切断刃１を設けている
（ｂ）最高に突出した切断刃１の両端を延長して、角３を設け連接して内側に折曲し補強した支持体２を設けている
（ｃ）内側に折曲し補強した支持体２の下部に、補強した切断刃５を設けている
（ｄ）（ａ）（ｂ）（ｃ）に示す、切断刃を有する支持体を、蓋前面２１の下部、蓋側面２９の下部に、適合可能に整形して接合し、開閉自由の蓋６を設けている
（ｅ）包装用容器本体７の前面を内側に傾斜を設けている、内側に傾斜を設けた本体前面９が示すように傾斜している、この傾斜が脱出防止部兼密着防止部１１の、なかの、片方の脱出防止部なつている．
（ｆ）包装用容器本体７の前面を内側に傾斜を設けている、本体前面上端３７までの傾斜を利用して設けた、脱出防止部兼密着防止部１１の、なかの、片方の密着防止部となつている．
（ｇ）本体前面上端３７の中央部分に、ラップフイルムの引き出し口１０を設けている、左右の両端に、脱出防止部兼密着防止部１１がラップフイルムの引き出し口１０をはさみ併存しているので、固定した安定感のあるラップフイルムの引き出し口１０となつている
（ｈ）脱出防止部兼密着防止部１１の、左右の側面より両端に凹部３２を設けている、ラップフイルム１２の引き出しをする時、ラップフイルム１２の左右両横端が凹部３２に接触して、ラップフイルム１２を定位置に引き出せる仕組となつている
（ｉ）本体側面下端１４の巾よりも、本体側面上端１５の巾を縮小して、内側に傾斜を設けた本体前面９の傾斜に協力していることを示している、なを、ラップフイルムの巻芯１６、ラップフイルム収納口１７となつている
（ｊ）引き出したラップフイルム１３の状態で、開閉自由の蓋６を閉じたことを示している、（図２を参照）
（ｋ）ラップフイルムを切断する時、ラップフイルムの、いつぽうの横端が最初に切断されたことを示している、（図３を参照）
（ｌ）大、中、小、諸々の包装用容器を製作する時、材質によつては基本的なことは守り、切断刃、支持体、包装用容器、を適合する形態に変更して製作可能となつている、以上のようになつている、切断刃を有する包装用容器
【請求項２】
包装用容器本体の両端を延長して定位置止めを設けている、直線の切断刃を有する開閉自由の蓋を連接した、包装用容器であつて（ａ）〜（ｅ）で構成を有することを特徴とする、切断刃を有する包装用容器
（ａ）開閉自由の蓋６に、直線の切断刃４０を接合している
（ｂ）包装用容器本体７の両端を延長して、定位置止め１９を設けている
（ｃ）引き出したラツプフイルム１３が、両端の定位置止め４０の間に収まるようになつている
（ｄ）包装用容器本体７の片方の端を、少しでも下げるとラップフイルム１２の横端が速切断される仕組みとなつている
（ｅ）定位置止め１９の形態は状況に適合可能に変化させて使用できる、切断刃も同じように変化させて使用できる、切断刃を有する包装用容器（図６図７参照）
【発明の詳細な説明】
【技術分野】
【０００１】  本発明は、包装容器に収納したラップフイルムを使用分引き出し、これを切断する、切断刃と包装用容器に関するもの
【背景技術】
【０００２】  通常使用している包装用容器は、収納したラップフィルムを使用分引き出し時、ラップフィルムの端部分をつまみ引き出すが、ラップフィルムが包装用容器に密着して、つまみにくい。切断時、こねる、強くおさえる、等をして切断するが切断よりも、引きちぎる感が大きい。簡単に、つまみ引き出し、簡単に切断できる、切断刃を有する包装用容器を設ける
【先行技術文献】
【特許文献】
【０００３】
【特許文献１】  特許公開番号２００９−８３９１７
【０００４】
【特許文献２】  特許公開番号２０１３−１４１０
【非特許文献】
【０００５】
【発明の概要】
【発明が解決しようとする課題】
【０００６】  包装用容器に収納したラップフイルムを使用分引き出し時、簡単につまみ引き出せるようにする。引き出したラップフイルムを、こねる、強くおさえる、等をしなくても簡単に切断できるようにする
【課題を解決するための手段】
【０００７】  第１には、使用分を引き出したラップフイルム１３を切断する切断刃４を湾曲状に設け、両端に最高に突出した切断刃１を設ける、切断時ラップフイルム１３の横端が、最初に切断できる仕組となつている、なを、切断刃支持体２８となつている、（以下図１参照）【０００８】  第２には、包装用容器の本体前面９を内側に傾斜させている、本体前面上端３７までの傾斜を利用して、脱出防止部兼密着防止部１１、ラップフイルムの引き出し口１０を設けている．【０００９】  第３には、脱出防止部兼密着防止部１１の外側端に、凹部３２を設けている、ラップフイルム１２の端をつまみ、使用分を引き出した時にラップフイルムの横端が、凹部３２の内におさまり、切断時ラップフイルム１３の横端が、いちばんはじめに切断できる仕組となつている【００１０】  第４には、包装用容器本体７に開閉自由な蓋６を連接している、蓋６を連接した位置８となつている【００１１】  第５には、蓋６の角３より内側に折曲して、内側に折曲し補強した支持体２、補強した切断刃を設けている、なを、蓋の側面２９、蓋前面２１を設けている【００１２】  第６には、本体側面下端１４、本体側面上端１５、ラップフイルム収納口１７、ラップフイルム巻芯１６を設けている、なを、本体側面下端１４の巾より本体側面上端１５の巾を縮小して、脱出防止部兼密着防止部１１のうち、脱出防止部分２３となつている
【発明の効果】
【００１３】  ラップフイルムは、はじめに、いつぽうの端を切断すると簡単に切断できる修正がある、切断刃を湾曲状に設けている、両端の切断刃が最高に突出している、この部分を始めとし個々の部分が協力して働き、ラップフイルムのいつぽうの端を切断時の始めに切断できる仕組みとなつている、強くおさえる、強くこねる、ラップフイルムの端をつまみにくい、こともなくなり、ラップフイルムを使用分引き出して蓋を閉じると切断が始まり完了できる、なを、脱出防止部兼密着防止部．引き出し口を設けている、ラップフイルムを引き出し時本体内より飛び出して脱出することもなくなる、何の障害もなくなり安心して使用者の皆様に提供できる
【図面の簡単な説明】
【００１４】
【図１】  本発明の切断刃を有する包装用容器の全体図を示す  立体図
【図２】  引き出し時、ラップフイルムの両横の端が、最高に突出した切断刃と歯合することを示す、立体図
【図３】  切断時ラップフイルムの片方の端を、はじめに切断することを示す、立体図
【図４】  蓋を開きラップフイルムを引き出したことを示す、側面図
【図５】  蓋を閉じてラップフイルムを切断したことを示す、側面図
【図６】  包装用容器本体の両端側面を延長して、定位置止めを設けている、直線の切断刃を定位置止めの両端まで設けていることを示す、立体図
【図７】  定位置止め、直線の切断刃を示す、立体図
【図８】  切断刃を有する補強した支持体を連接したことを示す、立体図
【図９】  補強した切断刃５を除去したことを示す、立体図
【図１０】  切断刃の支持体、補強した切断刃の支持体を拡大している、状況に適合させることを示す、立体図
【図１１】  中央部分に凸部のある湾曲状切断刃に変化している、状況に適合させることを示す、立体図
【図１２】  本体前面上部を折曲して内側に傾斜を設けた、脱出防止部を示す、側面図
【図１３】  本体側面下端と本体側面上端の間の深さを、通常よりも深くしたことを示す、側面図
【発明を実施するための形態】
【００１５】  本発明の実施の形態を図１〜図１３に基ずいて説明する
【００１６】  図１は、本発明の、切断刃を有する包装用容器の全体図となつている、最高に突出した切断刃１、内側に折曲し補強した支持体２、角３、湾曲状に設けた切断刃４、補強した切断刃５、開閉自由の蓋６、包装用容器７、蓋を開閉自由に連接した位置８、内側に傾斜を設けた本体前面９、ラップフイルムの引き出し口１０、脱出防止部兼密着防止部１１、ラップフイルム１２、引き出したラップフイルム１３、本体側面下端１４、本体側面上端１５、ラップフイルム巻芯１６、ラップフイルム収納口１７、蓋側面２９、蓋側面２１、凹部３２、切断刃支持体２８、本体前面上端３７、となつている
【００１７】  図２は、引き出したラップフイルム１３の状態で、開閉自由の蓋６を閉じると、最高に突出した切断刃１をはじめとして、補強した切断刃５、本体の角３５、角３、が協力してラップフイルムの横端２２を、はじめに切断可能な状態が完成したことを示している、なを、内側に傾斜を設けた本体前面９、湾曲状に設けた切断刃４、右手３３、左手３４、蓋前面２１となつている．
【００１８】  図３は、切断時、はじめに横端が切断されたラップフイルム３６を示している．なを、左手３４、開閉自由の蓋６、最高に突出した切断刃１、補強した切断刃５、本体の角３５、右手３３、引き出したラップフイルム１３、となつている．
【００１９】  図４は、開閉自由の蓋６を開き、引き出したラップフイルム１３を示している、なを、本体側面下端１４の巾より本体側面上端１５の巾を縮小して、脱出防止部分となつている２３を示している、且、内側に傾斜を設けた蓋前面２６、接着した脱出防止部兼密着防止部の下部２７、補強した切断刃５、内側に折曲し補強した支持体２、脱出防止部兼密着防止部１１、内側に傾斜を設けた本体前面９、ラップフイルム巻芯１６、ラップフイルム１２、包装用容器本体７となつている
【００２０】  図５は、開閉自由の蓋６を閉じて、引き出した、ラップフイルム１３を切断をしたことを示している、なを、脱出防止部兼密着防止部１１、接合した、脱出防止部兼密着防止部の下部２７、内側に傾斜を設けた蓋前面２６、引き出して切断されたラップフイルム１８、最高に突出した切断刃１、補強した切断刃５、内側に折曲し補強した支持体２、内側に傾斜を設けた本体前面９、ラップフイルム巻芯１６、ラップフイルム１２、包装用容器７、蓋を開閉自由に連接した位置８、引き出し中のラップフイルム２０、脱出防止部分となつている２３。となつている
【００２１】  図６は、包装用容器本体７の両端側面を延長して、定位置止め１９を設けている、直線の切断刃４０を定位置止め１９の両端まで設けている、引き出したラップフイルム１３の片方の横端を、切断可能な状態となつている、なを、開閉自由の蓋６、切断刃支持体２８、ラップフイルム１２となつている、立体図
【００２２】  図７は、引き出した仮定のラップフイルム３１が、直線の切断刃４０のなかに収まつている、引き出したラップフイルム１３が、定位置止め１９の両端の間に収まつている、なを、開閉自由の蓋６、本体前面上部を内側に傾斜を設けた脱出防止部２４、包装用容器本体７、脱出防止部兼密着防止部１１、引き出し口１０、ラップフイルム１２となつている
【００２３】  図８は、湾曲状に設けた切断刃４の両端内側に折曲して、内側に折曲し補強した支持体２を設けている、湾曲状に設けた切断刃４と内側に折曲し補強した支持体２と角３と補強した切断刃５が歯合して倍増した安定感のある、切断刃を有する包装用容器を設けることができる、なを、最高に突出した切断刃１、切断刃の支持体２８となつている
【００２４】  図９は、図８に示す、補強した切断刃５を除去したことを示している、なを、製作時の材質、状況等に適合させて、適合する切断刃を有する包装用容器を設けることを示している、且、最高に突出した切断刃１、角３、内側に折曲し補強した支持体２、切断刃支持体２８、湾曲状に設けた切断刃４となつている
【００２５】  図１０は、切断刃支持体２８、内側に折曲し補強した支持体２を拡大している、接合する位置に適合する形に整形している、軟弱な紙などを使用して容器を製作するときなどに使用すると、強固な容器が製作できることを示している、なを、角３、補強した切断刃５、最高に突出した切断刃１、湾曲状に設けた切断刃４となつている
【００２６】  図１１は、中央部分に凸部を有する湾曲状の切断刃３０設けている、この切断刃３０の先端を延長して角３より内側に折曲し、内側に折曲し補強した支持体２、補強した切断刃５を設けている、大きな物品を包装する時、凸部を有する湾曲状の切断刃３０のほうが適合することを示している、なを、最高に突出した切断刃１、切断刃支持体２８となつている、
【００２７】  図１２は、本体前面上部に折曲し傾斜を設けた脱出防止部２４を設けたことを示している、なを、本体側面上端１５から本体側面下端１４までの深さが通常の深さになつている、ラップフイルム１２を使用分を引き出して、引き出したラップフイルム１３の状態になる途中で、ラップフイルム１２が本体内より飛び出し脱出することがある、ラップフイルム１２の引き出し時の角度、脱出防止部２４の傾斜、が間題を解決する、（図１３を対照）なを、内側に折曲し補強した四囲自体２、開閉自由の蓋６、蓋を開閉自由に連接した位置８、本体後面３８、ラップフイルムの芯１６、本体前面３９、密着防止部２５、補強した切断刃５となつている．
【００２８】  図１３は、本体側面上端１５、本体側面下端１４までの深さを通常の深さより、深くなつている、ラップフイルム１２を引き出し時の角度も、引き出したラップフイルム１３が示すように急傾斜になつて上方に引き出すと、自重と傾斜で下降する、脱出防止部２４となつている、角度、傾斜、深さ、を（図１２を対照）、なお、密着防止部２５、本体前面３９、ラップフイルムの巻芯１６、本体後面３８、蓋を開閉自由に連接した位置８、開閉自由の蓋６、内側に折曲し補強した支持体２、補強した切断刃５となつている、以上のようになつている、切断刃を有する包装用容器．
【符号の説明】
【００２９】  １  最高に突出した切断刃
２  内側に折曲し補強した支持体
３  角
４  湾曲状に設けた切断刃
５  補強した切断刃
６  開閉自由の蓋
７  包装用容器本体
８  蓋を開閉自由に連接した位置
９  内側に傾斜を設けた本体前面
１０  ラップフイルムの引き出し口
１１  脱出防止部兼密着防止部
１２  ラップフイルム
１３  引き出したラップフイルム
１４  本体側面下端
１５  本体側面上端
１６  ラップフイルム巻芯
１７  ラップフイルム収納口
１８  引き出して切断されたラップフイルム
１９  定位置止め
２０  引き出し中のラップフイルム
２１  蓋前面
２２  ラップフイルムの横端
２３  脱出防止部分となつている部分
２４  本体前面上部を内側に傾斜を設けた脱出防止部
２５  密着防止部
２６  内側に傾斜を設けた蓋前面
２７  接合した脱出防止部兼密着防止部の下部
２８  切断刃支持体
２９  蓋側面
３０  凸部を有する湾曲状の切断刃
３１  引き出した仮定のラップフイルム
３２  凹部
３３  右手
３４  左手
３５  本体の角
３６  はじめに横端が切断されたラップフイルム
３７  本体前面上端
３８  本体後面
３９  本体前面
４０  直線の切断刃
【図１】
2014218304.tif 000003
【図２】
2014218304.tif 000004
【図３】
2014218304.tif 000005
【図４】
2014218304.tif 000006
【図５】
2014218304.tif 000007
【図６】
2014218304.tif 000008
【図７】
2014218304.tif 000009
【図８】
2014218304.tif 000010
【図９】
2014218304.tif 000011
【図１０】
2014218304.tif 000012
【図１１】
2014218304.tif 000013
【図１２】
2014218304.tif 000014
【図１３】
2014218304.tif 000015
【手続補正書】
【提出日】平成25年9月11日(2013.9.11)
【手続補正１】
【補正対象書類名】明細書
【補正対象項目名】全文
【補正方法】変更
【補正の内容】
【発明の詳細な説明】
【技術分野】
【０００１】  本発明は、包装用容器に収納したラップフイルムを使用分を引き出し、これを切断する、切断刃と包装用容器に関するもの
【背景技術】
【０００２】  通常使用している包装用容器は、収納したラップフイルムを使用分引き出し時、ラップフイルムの端部分をつまみ引き出すが、ラップフイルムが包装用容器に密着して、つまみにくい、切断時、こねる、強くおさえる、等をして切断するが切断よりも、引きちぎる感が大きい、簡単につまみ引き出し、簡単に切断できる、切断刃を有する包装用容器を設ける
【先行技術文献】
【特許文献】
【０００３】
【特許文献１】特許公開番号２００９−８３９１７
【０００４】
【特許文献２】特許公開番号２０１３−１４１０
【非特許文献】
【０００５】
【発明の概要】
【発明が解決しようとする課題】
【０００６】  包装用容器に収納したラップフイルムを使用分引き出し時、簡単につまみ引き出せるようにする、引き出したラップフイルムの横端を、最初に切断できるようにする、こねる、強くおさえる、等をなくしても簡単に切断できるようにする
【課題を解決するための手段】
【０００７】  第１には、使用分を引き出したラップフイルム１３を切断する切断刃４を湾曲状に設け、両端に最高に突出した切断刃１を設ける、切断時ラップフイルム１３の横端が、最初に切断できる仕組となっている、なを、切断刃支持体２８となっている、（図１参照）【０００８】  第２には、包装用容器の前面を、内側に傾斜を設けた本体前面９を設けている、本体前面上端３７までの傾斜を利用して、脱出防止部兼密着防止部１１、ラップフイルムの引き出し口１０を設けている【０００９】  第３には、脱出防止部兼密着防止部１１の外側両端に、凹部３２を設けている、ラップフイルム１２の端をつまみ、使用分を引き出し時にラップフイルムの横端が、凹部３２の内におさまり、切断時、引き出したラップフイルム１３の横端が、最初に切断できる仕組となっている【００１０】  第４には、包装用容器本体７に開閉自由の蓋６を連接している、開閉自由の蓋６を連接した位置８となっている【００１１】  第５には、開閉自由の蓋６の角３より内側に折曲して、内側に折曲し補強した支持体２、補強した切断刃５を設けている、なを、蓋の側面２９、蓋の前面２１を設けている【００１２】  第６には、本体上部を適合する形に内側に傾斜を設けた、脱出防止部２４を設けている【００１３】  第７には、廻転補助具前端を延長し前方に折曲した部分２０に、脱出防止部２４の先端部分裏側を接合している【００１４】  第８には、いち部を開放した円筒形状の回転補助具１８を設けている【００１５】  第９には、いち部を開放した円筒形状の回転補助具１８の前面を延長し前方に折曲し、両端より２箇所にラップフイルムの引き出し口を設けている【００１６】  第１０には、いち部を開放した円筒形状の回転補助具１８の後面先端を延長し、前方に折曲し、開閉自由の逆上防止部を設けている【００１７】  第１１には、蓋の前面上端部分に適合する巾に、蓋の開閉補助する凸部を設けている【００１８】  第１２には、包装用容器本体後面下端に適合する巾に、蓋の開閉補助する凸部を設けている
【発明の効果】
【００１９】  ラップフイルムは、最初にいっぽうの横端を切断すると簡単に切断できる修正がある、湾曲状の切断刃の先端が接合部分の両端になり、最高に突出した切断刃の状態となっている、この部分を始めとし、開閉自由の蓋の開閉を補助する凸部、両端より２箇所に設けたラップフイルムの引き出し口、いち部を開放した円筒形状の回転補助具、逆上防止部、脱出防止部、等々個々の部分が働き、ラップフイルムのいっぽうの横端を最初に切断できる仕組となっている、強くおさえる、強くこねる、ラップフイルムの端をつまみにくい、等々のこともなくなり、何の障害もなくなり安心して使用者の皆様に提供できる
【図面の簡単な説明】
【００２０】
【図１】本発明の請求項１の切断刃を有する包装用容器の全体図を示す、立体図
【図２】引き出し時、ラップフイルムの両横の端が、最高に突出した切断刃と歯合することを示す、立体図
【図３】切断時ラップフイルムの片方の横端を、最初に切断することを示す、立体図
【図４】切断刃を有する補強した支持体を連接したことを示す、立体図
【図５】中央部分に凸部のある湾曲状切断刃に変化している、状況に適合させることを示す、立体図
【図６】包装用容器本体前面上部分を、内側に傾斜させたことを示す、側面図
【図７】定位置止め、直線の切断刃を示す、立体図
【図８】本発明の請求項２の切断刃を有する包装用容器の全体図を示す、立体図
【図９】いち部を開放した円筒形状の回転補助具を示す、立体図
【図１０】開閉自由の蓋の開閉を補助する凸部を示す、側面図
【発明を実施するための形態】
【００２１】  本発明の実施の形態を図１〜図１０に基ずいて説明する
【００２２】  図１は、本発明の請求項１の切断刃を有する包装用容器の全体図となっている、最高に突出した切断刃１、内側に折曲し補強した支持体２、角３、湾曲状に設けた切断刃４、補強した切断刃５、開閉自由の蓋６、包装用容器本体７、蓋を開閉自由に連接した位置８、内側に傾斜を設けた本体前面９、ラップフイルムの引き出し口１０、脱出防止部兼密着防止部１１、ラップフイルム１２、引き出したラップフイルム１３、本体側面下端１４、本体側面上端１５、ラップフイルムの巻芯１６、ラップフイルムの収納口１７、蓋側面２９、蓋前面２１、凹部３２、切断刃支持体２８、本体前面上端３７、となっている
【００２３】  図２は、引き出したラップフイルム１３の状態で、開閉自由の蓋６を閉じると、最高に突出した切断刃１をはじめとして、補強した切断刃５、本体の角３５、角３が恊力して、ラップフイルム横端２２を、最初に切断可能な状態が完成したことを示している、なを、内側に傾斜を設けた本体前面９、湾曲状に設けた切断刃４、右手３３、左手３４、蓋前面２１となっている
【００２４】  図３は、切断時、最初にいっぽうの横端が切断されたラップフイルム３６を示している、なを、左手３４、開閉自由の蓋６、最高に突出した切断刃１、補強した切断刃５、本体の角３５、右手３３、、引き出したラップフイルム１３、となっている
【００２５】  図４は、湾曲状に設けた切断刃４の両端を内側に折曲して、内側に折曲し補強した支持体２を設けている、湾曲状に設けた切断刃４と内側に折曲し補強した支持体２、角３、補強した切断刃５が歯合して倍増した安定感のある、切断刃を有する包装用容器を設けることができる、なを、最高に突出した切断刃１、切断刃の支持体２８となっている
【００２６】  図５は、中央部分に凸部を有する湾曲状の切断刃３０を設けている、この切断刃３０の先端を延長して角３より内側に折曲し、内側に折曲し補強した支持体２、補強した切断刃５を設けている、ラップフイルム１３を切断後、切れ端が逆上することがある、逆上防止になる、切れ端の部分が長くなるから逆上防止につながる、なを、最高に突出した切断刃１、切断刃支持体２８となっている
【００２７】  図６は、本体上部を適合する形に、内側に折曲し傾斜を設けた脱出防止部２４を設けたことを示している、なを、密着防止部２５、本体前面３９、ラップフイルムの巻芯１６、ラップフイルム１２、本体側面下端１４、本体後面３８、本体側面上端１５、開閉自由の蓋を連接した位置８、開閉自由の蓋６、内側に折曲し補強した支持体２、補強した切断刃５、引き出したラップフイルム１３、となっている
【００２８】  図７は、引き出した仮定のラップフイルム３１が、直線の切断刃４０のなかに収まっている、引き出したラップフイルム１３が、定位置止め１９の両端の間に収まっている、なを、開閉自由の蓋６、本体前面上部を適合する形に内側に傾斜を設けた脱出防止部２４、包装用容器本体７、脱出防止部兼密着防止部１１、ラップフイルムの引き出し口１０、ラップフイルム１２、湾曲状に設けた切断刃４にしろ直線の切断刃４０にしろ、接合する面の両端まで切断刃を接合することになっていることを示している
【００２９】  図８は、本発明の請求項２の切断刃を有する包装用容器の全体図となっている。最高に突出した切断刃１、湾曲状に設けた切断刃４、開閉自由の蓋６、開閉自由の蓋を連接した位置８、内側に折曲し補強した支持体２、逆上防止部を連接した位置２７、いち部を開放した円筒形状の回転補助具１８、ラップフイルム１２、包装用容器本体７、ラップフイルムの巻芯１６、回転補助具前端を延長した部分２０、引き出したラップフイルム１３、両端より２箇所に設けたラップフイルムの引き出し口２３、脱出防止部２４の上端部分と接合する位置４３、開閉自由の逆上防止部２６、となっている、（図９、図１０、を参照）
【００３０】  図９は、包装用容器本体７内で働く箇々の部品の全体図である、いち部を開放した円筒形状の回転補助具１８、ラップフイルム１２、ラップフイルムの巻芯１６、脱出防止部２４の上端部分と接合する位置４３、回転補助具前端を延長した部分２０、引き出したラップフイルム１３、両端より２箇所に設けたラップフイルムの引き出し口２３、かさなることを示す開閉自由の逆上防止部と延長し前方に折曲した部分４２、開閉自由の逆上防止部２６、開いたことを示す開閉自由の逆上防止部４１、逆上防止部を連接した位置２７、となっている。（図８、を参照）
【００３１】  図１０は、開閉自由の蓋６の前面上端に設けている、開閉自由の蓋の開閉を補助する凸部４４、開閉自由の蓋６、包装用容器本体７、包装用容器本体７の後面下端に設けている、開閉自由の蓋の開閉を補助する凸部４４、内側に折曲し補強した支持体２、最高に突出した切断刃１、となっている、なを、蓋の開閉を補助する凸部４４は、蓋６の前面上端の角を利用して、両端を少し残し横長に小さい凸部を設けている、片方の凸部４４も同じ、
【符号の説明】
【００３２】１  最高に突出した切断刃
２  内側に折曲し補強した支持体
３  角
４  湾曲状に設けた切断刃
５  補強した切断刃
６  開閉自由の蓋
７  包装用容器本体
８  開閉自由の蓋を連接した位置
９  内側に傾斜を設けた本体前面
１０  ラップフイルムの引き出し口
１１  脱出防止部兼密着防止部
１２  ラップフイルム
１３  引き出したラップフイルム
１４  本体側面下端
１５  本体側面上端
１６  ラップフイルムの巻芯
１７  ラップフイルムの収納口
１８  いち部を開放した円筒形状の回転補助具
１９  定位置止め
２０  回転補助具前端を延長した部分
２１  蓋の前面
２２  ラップフイルムの横端
２３  両端より２箇所に設けたラップフイルムの引き出し口
２４  本体上部を適合する形に内側に傾斜を設けた脱出防止部
２５  密着防止部
２６  開閉自由の逆上防止部
２７  逆上防止部を連接した位置
２８  切断刃支持体
２９  蓋の側面
３０  中央部分に凸部を有する湾曲状の切断刃
３１  引き出した仮定のラップフイルム
３２  凹部
３３  右手
３４  左手
３５  本体の角
３６  最初にいっぽうの横端が切断されたラップフイルム
３７  本体前面上端
３８  本体後面
３９  本体前面
４０  直線の切断刃
４１  開いたことを示す開閉自由の逆上防止部
４２  かさなることを示す開閉自由の逆上防止部と延長し前方に折曲した部分
４３  脱出防止部２４の上端部分と接合する位置
４４  開閉自由の蓋の開閉を補助する凸部
【手続補正２】
【補正対象書類名】特許請求の範囲
【補正対象項目名】全文
【補正方法】変更
【補正の内容】
【特許請求の範囲】
【請求項１】
ラップフイルムを切断する時、ラップフイルムの、いっぽうの横端を最初に切断可能にすべく、湾曲状の切断刃、切断刃の支持体、角、傾斜、凹部、等を設け、これを利用して左利き、右利き、を問わず最初にいっぽうの横端を切断可能にした切断刃であって、（ａ）〜（ｌ）で構成を有することを特徴とする、湾曲状にした、切断刃を有する包装用容器、（図１を参照）
（ａ）切断刃支持体２８に連接して、湾曲状に設けた切断刃４の両端に、最高に突出した切断刃１を設けている
（ｂ）最高に突出した切断刃１の両端を延長して、角３を設け連接して内側に折曲し補強した支持体２を設けている
（ｃ）内側に折曲し補強した下部に、補強した切断刃５を設けている
（ｄ）、（ａ）（ｂ）（ｃ）に示す、切断刃を有する支持体を、蓋の前面２１の下部、蓋の側面２９の下部に、適合可能に整形して接合し、開閉自由の蓋６を設けている
（ｅ）包装用容器本体７の前面を内側に傾斜を設けている、本体前面上端３７までの傾斜を利用して設けた、脱出防止部兼密着防止部１１の、なかの、片方の脱出防止部となっている
（ｆ）包装用容器本体７の前面を内側に傾斜を設けている、内側に傾斜を設けた本体前面９が示すように傾斜している、この傾斜が脱出防止部兼密着防止部１１の、なかの、片方の密着防止部となっている
（ｇ）本体前面上端３７の中央部分に、適合可能に変化できる、ラップフイルムの引き出し口１０を設けている、左右の両側に、脱出防止部兼密着防止部１１がラップフイルムの引き出し口１０を、はさみ、併在しているので、安定感のあるラップフイルムの引き出し口１０となっている
（ｈ）脱出防止部兼密着防止部１１の、左右の側面より両端に凹部３２を設けている、ラップフイルム１２の引き出しをする時、ラップフイルム１２の左右両横端が凹部３２に接蝕して、ラップフイルム１２を定位置に引き出せる仕組となっている
（ｉ）本体側面下端１４、本体側面上端１５、ラップフイルムの巻芯１６、ラップフイルム収納口１７となっている
（ｊ）引き出したラップフイルム１３の状態で、開閉自由の蓋６を閉じたことを示している、（図２参照）
（ｋ）ラップフイルムを切断する時、ラップフイルムの、いっぽうの横端が最初に切断さたことを示している、（図３を参照）
（ｌ）大、中、小、諸々の、切断刃を有する包装用容器を製作する時、材質によっては基本的なことは守り、切断刃、支持体、包装用容器、箇々の部品を、適合する形態に変更して製作可能となっている、以上のようになる、切断刃を有する包装用容器
【請求項２】
いち部を開放した円筒形状の回転補助具を、包装用容器本体内に用い、これにともない逆上防止部、両端より２箇所にラップフイルムの引き出し口、蓋の開閉を補助する凸部、等々を設け、これが、切断刃と恊力して、切断時、ラップフイルムのいっぽうの横端が最初に切断可能とした包装用容器であって、（ａ）〜（ｌ）で構成を有することを特徴とする、切断刃を有する包装用容器
（ａ）いち部を開放した円筒形状の回転補助具１８の前面を延長し、前方に折曲し、回転補助具前端を延長した部分２０を設けている、（図８を参照）
（ｂ）蓋の前面上端部分に適合する巾に蓋の開閉を補助する凸部４４を設けている、（図１０を参照）
（ｃ）包装用容器本体後面下端に適合する巾に、蓋の開閉を補助する凸部４４を設けている、（図１０を参照）
（ｄ）開閉自由の蓋６の前面下端部分に、最高に突出した切断刃１、湾曲状に設けた切断刃４、を設けている、（図８を参照）
（ｅ）内側に折曲し補強した支持体２を、開閉自由の蓋６の側面下端部分に設けている、（図８を参照）
（ｆ）開閉自由の蓋６を連接した位置８を設けている、（図８を参照）
（ｇ）いち部を開放した円筒形状の回転補助具１８の後面上端を延長し、前方に折曲し、開閉自由の逆上防止部２６を設けている、（図８を参照）
（ｈ）開閉自由の逆上防止部２６を連接した位置２７を設けている、（図８を参照）
（ｉ）包装用容器本体７の体内に、ラップフイルム１２、ラップフイルムの巻芯１６，が収納されている、これにともない、引き出したラップフイルム１３を設けている、（図８を参照）
（ｊ）本体前面３９の上部を内側に傾斜を設け、適合する形に整形し、脱出防止部２４を設けている、この先端部分内側に、脱出防止部２４の上端部分と接合する位置４３と接合する、なを、本体前面３９、脱出防止部２４は（図６を参照）、脱出防止部２４の上端部分と接合する位置４３は（図８を参照）となっている
（ｋ）回転補助具前端を延長した部分２０の、両端より２箇所に設けたラップフイルムの引き出し口２３を設けている、（図８を参照）
（ｌ）請求項１、請求項２に示す、個々の部品を選択して使用し、製作時の状況に適合させることが可能となっている、以上のようになる、切断刃を有する包装用容器
【手続補正４】
【補正対象書類名】図面
【補正対象項目名】全図
【補正方法】変更
【補正の内容】
【図１】
2014218304.tif 000016
【図２】
2014218304.tif 000017
【図３】
2014218304.tif 000018
【図４】
2014218304.tif 000019
【図５】
2014218304.tif 000020
【図６】
2014218304.tif 000021
【図７】
2014218304.tif 000022
【図８】
2014218304.tif 000023
【図９】
2014218304.tif 000024
【図１０】
2014218304.tif 000025